(57)【要約】【課題】ケーブルの取り外しが容易であり、かつ、ケーブルが張力を持たない状態であってもケーブルが外れにくいプーリおよびそのプーリを用いたウインドレギュレータを提供する。【解決手段】円筒状のプーリ本体１１と、そのプーリ本体を回転自在に支持するプーリシャフト１２と、プーリ本体とプーリシャフトが保持されるプーリ基板１３とからなるプーリ１０。プーリ基板１３は、表面から突出するように、プーリ本体１１の外周円上近辺に突出して形成された２つの爪２９を備えている。爪２９はＬ字状であり、プーリ基板本体の表面から突出している基部３５と、その基部の端部から略水平方向に延びる閉止部３６とからなり、ケーブル溝１７を閉じている。【選択図】図１
2009013668.tif 000002
【特許請求の範囲】
【請求項１】
側面にケーブルを収容するケーブル溝を備えた円筒状のプーリ本体と、そのプーリ本体を回転自在に支持するプーリシャフトと、プーリ本体とプーリシャフトを保持するプーリ基板とからなり、
前記プーリ基板が、前記プーリ本体の外周円上近辺に形成され、前記ケーブル溝を閉じる爪を備えており、
前記爪が、ケーブルを通す隙間をケーブル溝との間に形成するように撓む、ウインドレギュレータ用のプーリ。
【請求項２】
前記爪が、前記プーリ基板から突出している基部と、その基部の上端から前記ケーブル溝方向に略水平に延びる閉止部とからなるＬ字状を呈しており、
前記閉止部が、ケーブルを通す隙間をケーブル溝との間に形成するように下方に撓む、請求項１記載のウインドレギュレータ用のプーリ。
【請求項３】
前記ケーブル溝が、上方の溝壁と下方の溝壁とからなり、下方の溝壁の先端が、上方の溝壁の先端より、半径方向内側にある、請求項１記載のウインドレギュレータ用のプーリ。
【請求項４】
前記爪が２個形成されている請求項１記載のウインドレギュレータ用のプーリ。
【請求項５】
請求項１〜４いずれか記載のプーリを備えたウインドレギュレータ。
【発明の詳細な説明】
【技術分野】
【０００１】
本発明は、プーリおよびそれを用いたウインドレギュレータに関する。
【背景技術】
【０００２】
ケーブル式のウインドレギュレータには、ケーブルの向き変換するプーリが用いられている。
従来のプーリ１００は、図７に示すように、外周に溝１０１ａが形成された円筒状のプーリ本体１０１と、そのプーリ本体に挿入される円筒状のプーリシャフト１０２と、プーリ本体およびプーリシャフトを保持するプーリブラケット１０３とからなり、プーリシャフトの中心孔１０４に雌ネジが形成されている。
このようなプーリ１００は、ケーブルをプーリ本体の溝１０１ａに巻き、その後、ボルトを用いてドアのパネルに固定する。そのため、ドアのパネルに固定される前は、ケーブルは張力を持たないため、プーリをドアのパネルに固定するときに、ケーブルがプーリ本体の溝１０１ａから外れるという問題があった。
【発明の開示】
【発明が解決しようとする課題】
【０００３】
本発明は、ケーブルの取り外しが容易であり、かつ、ケーブルが張力を持たない状態であっても、ケーブルが外れないプーリおよびそのプーリを用いたウインドレギュレータを提供することを目的としている。
【課題を解決するための手段】
【０００４】
本発明のプーリは、側面にケーブルを収容するケーブル溝を備えた円筒状のプーリ本体と、そのプーリ本体を回転自在に支持するプーリシャフトと、プーリ本体とプーリシャフトを保持するプーリ基板とからなり、前記プーリ基板が、プーリ本体の外周円上近辺に形成され、前記ケーブル溝を閉じる爪を備えており、前記爪が、ケーブルを通す隙間をケーブル溝との間に形成するように撓むことを特徴としている。
【０００５】
このようなプーリであって、前記爪が、前記プーリ基板から突出している基部と、その基部の上端から前記ケーブル溝方向に略水平に延びる閉止部とからなるＬ字状を呈しており、前記閉止部が、ケーブルを通す隙間をケーブル溝との間に形成するように下方に撓むものが好ましい。また、前記ケーブル溝が、上方の溝壁と下方の溝壁とからなり、下方の溝壁の先端が、上方の溝壁の先端より、半径方向内側にあるものが好ましい。さらに、前記爪が２個形成されているものが好ましい。
本発明のウインドレギュレータは、上述したプーリを備えていることを特徴としている。
【発明の効果】
【０００６】
本発明のプーリは、プーリ基板が、プーリ本体の外周円上近辺に形成されて前記ケーブル溝を閉じる爪を備えており、前記爪が、ケーブルを通す隙間をケーブル溝との間に形成するように撓むことができるため、爪の上からケーブルをケーブル溝方向へ押し込むことにより、爪は撓み、ケーブルを容易にケーブル溝に挿入させることができる。
このようなプーリであって、前記爪が前記プーリ基板から突出している基部と、その基部の上端から前記ケーブル溝方向に略水平に延びる閉止部とからなるＬ字状を呈しており、前記閉止部が、ケーブルを通す隙間をケーブル溝との間に形成するように下方に撓むことができる場合、閉止部の上からケーブルをケーブル溝方向へ押し込むことができる。また、ケーブルを挿入した後は、閉止部の先端とケーブルとが向かい合う形になるため、ケーブルをケーブル溝から取り出そうとしても、閉止部の先端が邪魔をして自然にはケーブルが外れない。一方、ケーブルを外すときは、手などで閉止部を上から押すことにより、閉止部が撓み、ケーブルを外す隙間が形成される。そのため、ケーブルの外し作業は容易である。
【０００７】
本発明のプーリであって、ケーブル溝が、上方の溝壁と下方の溝壁とからなり、下方の溝壁の先端が、上方の溝壁の先端より、半径方向内側にある場合、プーリ本体をプーリ基板に容易に取り付けることができ、また、ケーブルがプーリ上方から抜けにくい。
また、爪が２個形成されている場合、プーリ溝に円状に巻かれたケーブルを、２箇所で押さえることができるため、ケーブルが一層外れにくい。
本発明のウインドレギュレータは、上述したプーリを備えているため、ケーブルの外れなどがなく、容易にドアのパネルに取り付けることができる。
【発明を実施するための最良の形態】
【０００８】
次に本発明のウインドレギュレータ用プーリを図面を用いて説明する。図１ａ、ｂは、本発明のプーリの一実施形態を示す正面図、断面側面図；図２ａは、図１ａのプーリのプーリ本体を示す断面側面図、図２ｂは、図１ａのプーリのプーリシャフトを示す断面側面図；図３ａ、ｂは、図１ａのプーリ基板の正面図、断面側面図；図４ａ、ｂは、図１のプーリにケーブルを挿入する前と後の閉止部の動きを説明する概略図；図５は図１のプーリをインナーパネルに取り付けたときの断面側面図；図６は本発明のウインドレギュレータの一実施形態を示す正面図である。
【０００９】
図１ａ、ｂに示すウインドレギュレータ用プーリ１０は、円筒状のプーリ本体１１と、そのプーリ本体を回転に自在に支持する円筒状のプーリシャフト１２と、プーリ本体とプーリシャフトが保持されるプーリ基板１３とからなる。
【００１０】
プーリ本体１１は、図２ａに示すように、中心に形成されたプーリシャフト１２が挿入されるプーリ中心孔１６と、側面外周に設けられたケーブル溝１７とを有する。また、ケーブル溝１７は、上方の溝壁１７ａの方が、下方の溝壁１７ｂより高くなっており、下方の溝壁１７ｂ先端が、上方の溝壁１７ａの先端より、半径方向内側にある。これは、後述するプーリ基板１３の爪との関係によりプーリ本体１１をプーリ基板１３へ組み付けやすくするためであり、ケーブルが上方から抜けにくくするためである。また、プーリ本体の上面には、後述するプーリシャフト１２のフランジ２３が嵌まる段部１８が形成されている。さらに、プーリシャフト１２およびプーリ基板１３と当接する回転摺動部（プーリ本体１１の内面１９、段部１８および下面２０）には、グリースが塗布されている。プーリ本体１１は、合成樹脂製のものが好ましい。
【００１１】
プーリシャフト１２は、図２ｂに示すように、筒状の本体２１と、内面に雌ネジ２２ａが形成されたシャフト中心孔２２と、本体の上部に形成されたフランジ部２３とからなる。また、本体２１の側面外周は、プーリ中心孔１６の内径より若干小さくなっており、プーリ本体１１がプーリシャフト１２の外周を自在に回転できるように構成されている。そして、フランジ部２３は、上述したプーリ本体の段部１８を押さえ、回転自在のプーリ本体１１の抜け落ちを防止する。さらに、プーリシャフト１２の下端外周には、後述するプーリ基板１３と係合する係合部２４が形成されている。また、プーリシャフト１２の下部は、２箇所の平行面２５で切り欠かれている。これによりプーリ基板１３と当接する段部２６が形成される。
【００１２】
プーリシャフト１２は、金属、特に鋼が用いられる。そのため、係合部２４は、プーリシャフトの下端の２〜３箇所をかしめることにより形成される。プーリシャフト１２が合成樹脂製の場合、熱変形によって形成させてもよい。
【００１３】
プーリ基板１３は、図３ａ、ｂに示すように、略円盤状の基板本体２７と、その基板本体の中心に形成される中心孔２８と、基板本体の表面から突出するように、プーリ本体１１の外周円上近辺に突出して形成された２つの爪２９とを備えている。また、基板本体２７の表面および裏面には、複数の凹部３０が軽量化のため、そして、原料削減のために形成されている。
【００１４】
プーリ基板の中心孔２８は、上部は円形であり、下部が中心から同距離の平行な割線によって形成される弓形を欠いた円状を呈しており、係合段部３１が形成される。これにより、プーリシャフト１２の下部が挿入され、プーリシャフトの段部２６と、プーリ基板の係合段部３１とが当接する。このときプーリシャフトのフランジ部２３と、プーリ基板の基板本体２７の表面との間に隙間が形成される。そのため、プーリ本体１１とプーリシャフト１２あるいはプーリ基板１３との間の摩擦を最小限に抑えることができ、回転する。また、プーリ基板の中心孔２８の裏面側には、プーリシャフトの下端の係合部２４と係合する嵌合部３４が形成されている。これによりプーリ１０をインナーパネルに固定する前におけるプーリシャフト１２のプーリ基板１３からの飛び出しを防止する。
【００１５】
爪２９は、Ｌ字状であり、プーリ基板本体の表面から突出している基部３５と、その基部の端部から略水平方向に延びる閉止部３６とからなる。また、プーリ本体１１がプーリ基板１３に組み立てられた状態において、閉止部３６の先端と、プーリ本体１１のケーブル溝の上方の溝壁１７ａとの間は、ケーブルが進入できない寸法になっている。つまり、爪２９はケーブル溝１７を閉じる作用を有している。さらに、プーリ本体の下方の溝壁１７ｂの先端が、プーリ本体の上方の溝壁１７ａの先端より、半径方向内側にあるため、プーリ本体１１をプーリ基板１３に組み立てるときに、爪２９を比較的ケーブル溝１７内に挿入しやすい。
【００１６】
爪の閉止部３６は、端部に向かって薄くなるように形成されており、上下に撓むことができるように構成されている。これにより、閉止部３６の上方からケーブルを挿入すると、図４ａの想像線で示すように、閉止部３６は下方に撓み、ケーブル溝をケーブルＣが挿入できる程度に開き、ケーブルＣの進入を許す。一方、閉止部３６の先端がケーブル溝１７方向に向いているため、挿入されたケーブルＣを取り出そうとしても、ケーブルＣは閉止部３６の先端に邪魔される。また、その状態で無理にケーブルＣを引っ張っても、図４ｂの想像線で示すように、閉止部３６はケーブル溝１７を一層閉じるように上方に撓む。このように爪２９はケーブル外れ防止作用を有している。
【００１７】
一方、ケーブルＣをケーブル溝１７から取り出すときは、手などで閉止部３６を上から押すことにより、閉止部３６が下方に撓み、閉止部３６とケーブルの上方の溝壁１７ａとの間には、再びケーブルＣを外す隙間が形成される。そのため、ケーブルＣの外し作業も容易である。
【００１８】
このようなプーリ１０は、プーリ本体１１にプーリシャフト１２を挿入し、プーリ基板１３にプーリシャフト１２の先端を挿入し、プーリシャフトの先端をプーリ基板の嵌合部３４に対してかしめつけて、組み立てられる（図１参照）。この後、ケーブルをプーリ本体１１に巻きつける。このとき、上述したようにプーリ基板１３の爪２９が撓み、ケーブルを容易にケーブル溝１７内に導く。
【００１９】
このように組み立てられたプーリ１０はインナーパネル等の固定孔に取り付けられる。このプーリ１０をインナーパネル４０に取り付けるときは、図５に示すように、プーリシャフトの中心孔２２と、インナーパネル４０の固定孔４１とをあわせ、ボルト４４をインナーパネルの裏面から固定孔４１に挿入し、雌ネジが形成されたプーリシャフト１２の雌ネジ２２ａに螺合させて、固定する。
また、プーリシャフトのシャフト中心孔に雌ネジを形成しない場合、プーリシャフト側からボルトを挿入させ、インナーパネルの固定孔を介してナットでボルトを固定してもよく、また、インナーパネルの固定孔からボルトを挿入させて、ナットで固定してもよい。
【００２０】
図６にこのプーリ１０を備えたウインドレギュレータ５０を示す。
ウインドレギュレータ５０は、四角形状に配置された４つのプーリ１０（左上プーリ１０ａ、左下プーリ１０ｂ、右上プーリ１０ｃ、右下プーリ１０ｄ）と、それらのプーリを繋ぎ、８字状に配索されたケーブルＣと、上下のプーリの間のケーブルに取り付けられたキャリアプレート５１ａ、ｂと、ケーブルを駆動する駆動装置５２とから構成されている。これらの部品は、自動車のインナーパネル等のドアのパネルに取り付けられ、その後、窓ガラスＷをキャリアプレート５１ａ、５１ｂに取り付けることによって組み付けられる。
【００２１】
ここで左上プーリ１０ａと左下プーリ１０ｂとの間（ウインドレギュレータの前側）には、前のキャリアプレート５１ａが取り付けられており、右上プーリ１０ｃと右下プーリ１０ｄとの間（ウインドレギュレータの後側）には、後のキャリアプレート５１ｂが取り付けられている。また、駆動装置５２は、右上プーリ１０ｃと左下プーリ１０ｂとの間に取り付けられている。
【００２２】
また、このウインドレギュレータ５０は、３本のケーブルＣから８字状のループを構成しており、第１のケーブルのケーブルエンドは、後のキャリアプレート５１ｂと駆動装置５２とに係止されており、第２のケーブルのケーブルエンドは、前のキャリアプレート５１ａと駆動装置５２とに係止されており、第３のケーブルのケーブルエンドは、前後のキャリアプレート５１ａ、ｂに係止されている。
【図面の簡単な説明】
【００２３】
【図１】図１ａ、ｂは、本発明のプーリの一実施形態を示す正面図、断面側面図である。
【図２】図２ａは、図１ａのプーリのプーリ本体を示す断面側面図であり、図２ｂは、図１ａのプーリのプーリシャフトを示す断面側面図である。
【図３】図３ａ、ｂは、図１ａのプーリ基板の正面図、断面側面図である。
【図４】図４ａ、ｂは、図１のプーリにケーブルを挿入する前と後の閉止部の動きを説明する概略図である
【図５】図１のプーリをインナーパネルに取り付けたときの断面側面図である。
【図６】本発明のウインドレギュレータの一実施形態を示す正面図である。
【図７】従来公知のプーリを示す正面図、断面側面図である。
【符号の説明】
【００２４】
１０  プーリ
１０ａ、ｂ、ｃ、ｃ  プーリ
１１  プーリ本体
１２  プーリシャフト
１３  プーリ基板
１６  プーリ中心孔
１７  ケーブル溝
１７ａ  上方の溝壁
１７ｂ  下方の溝壁
１８  プーリ本体の段部
１９  プーリ本体の内面
２０  プ  ーリ本体の下面
２１  プーリシャフトの本体
２２  シャフト中心孔
２２  雌ネジ
２３  フランジ部
２４  係合部
２５  平行面
２６  プーリシャフトの段部
２７  基板本体
２８  プーリ基板の中心孔
２９  爪
３０  凹部
３１  係合段部
３４  嵌合部
３５  基部
３６  閉止部
４０  インナーパネル
４１  固定孔
４４  ボルト
５０  ウインドレギュレータ
５１ａ、ｂ  キャリアプレート
５２  駆動装置
Ｃ  ケーブル
Ｗ  窓ガラス
【図１】
2009013668.tif 000003
【図２】
2009013668.tif 000004
【図３】
2009013668.tif 000005
【図４】
2009013668.tif 000006
【図５】
2009013668.tif 000007
【図６】
2009013668.tif 000008
【図７】
2009013668.tif 000009